(57)【要約】      （修正有）【課題】外部から受ける力に対する強度を高め、簡易な構造を有する広告用布製表示パネルのフレームを提供する。【解決手段】滑車と、少なくとも１以上の弾性フックとを具え、かつ摺動自在に設けられた、表示パネル用の布を張設するための複数の張設部材と、ベースフレームとを具え、該ベースフレームが、２つ以上のねじ孔７１が形成され、かつ２つのレール部７２が対向して設けられた、少なくとも１以上の固定フレーム７とを設ける。さらに、該固定フレームの該レール部内に設けられるとともに、一端に延伸部８３を有し、かつ該支持柱の該連結溝内に設けられる第１レール部８４が形成され、該支持柱の該連結溝内に設けられる第２レール部８５が該延伸部に形成された、少なくとも１以上の連結板と、によって広告用布製表示パネルのフレームを構成する。【選択図】図７
0003166449.tif 000002
【実用新案登録請求の範囲】
【請求項１】
摺動自在に設けられ、表示パネル用の布を張設するための複数の張設部材と、ベースフレームとを具える広告用布製表示パネルのフレームであって、
該複数の張設部材は、それぞれ滑車と、少なくとも１以上の弾性フックとを具え、かつそれぞれの該滑車は互いに異なる方向に向けて設けられ、該弾性フックは、布製表示パネルに設けた引き紐を掛止するために供し、
該ベースレールが、開口がそれぞれ異なる方向に向かって形成された複数の連結溝と、該張設部材の該滑車に対応して形成された複数のガイド溝と、を具える２本、もしくは２本以上の支持柱と、
２つ以上のねじ孔が形成され、かつ２つのレール部が対向して設けられた、少なくとも１以上の固定フレームと、
該固定フレームの該レール部内に設けられるとともに、一端に延伸部を有し、かつ該支持柱の該連結溝内に設けられる第１レール部が形成され、該支持柱の該連結溝内に設けられる第２レール部が該延伸部に形成された、少なくとも１以上の連結板と、を具えること、を特徴とする広告用布製表示パネルのフレーム。
【請求項２】
前記固定フレームの該ねじ孔に締結部材を螺着して、該固定フレームを物体に固定することを特徴とする請求項１に記載の広告用布製表示パネルのフレーム。
【請求項３】
前記連結板に少なくとも２以上の位置決め孔と、少なくとも１以上のねじ孔を形成することを特徴とする請求項１に記載の広告用布製表示パネルのフレーム。
【請求項４】
前記連結板に、該延伸部と該第２レール部とを貫通する複数のねじを設けることを特徴する請求項１に記載の広告用布製表示パネルのフレーム。
【請求項５】
前記連結板の該延伸部が、該支持柱の外部形状に沿って湾曲していることを特徴とする請求項１に記載の広告用布製表示パネルのフレーム。
【請求項６】
前記ベースレールが、複数の連結支持フレームと、複数の締結部材とをさらに具え、
該連結支持フレームが２本の支持柱の間に設けられ、かつそれぞれの該支持フレームが上下に配列されるとともに、該連結支持フレームの両側にそれぞれ連結ブロックが形成され、該連結ブロックは該支持柱の該連結溝内に設けられ、該連結支持フレームの上端に切欠き溝が形成されるとともに、下方に位置する他の連結支持フレームの底端に、該切欠き溝に対応する位置にねじ孔が形成され、
該締結部材は該連結支持フレームの該ねじ孔と、下方に配列された他の連結支持フレームの上端に形成された該切欠き溝とを貫通して締結することを特徴とする請求項１に記載の広告用布製表示パネルのフレーム。
【請求項７】
前記締結部材が、ボルトと、弾性座金と、ナットとによってなることを特徴とする請求項６に記載の広告用布製表示パネルのフレーム。
【請求項８】
前記連結支持フレームが、閉鎖した環状に形成されることを特徴とする請求項６に記載の広告用布製表示パネルのフレーム。
【考案の詳細な説明】
【技術分野】
【０００１】
この考案は広告布製表示パネルを張設するフレームに関する。
【背景技術】
【０００２】
従来の広告用布製表示パネルは、単一の支持フレームによって布製表示パネルを支持する。それぞれの支持フレームには、単一のレールを設け、かつ複数のフックを該レール内に滑動自在に設ける。表示パネル用の布には複数の紐を設け、該引き紐の一端を対応する位置の該フックに連結する。
【０００３】
該表示パネル用の布を張設する場合は、該紐を巻き取って該フックを移動させて、該表示パネル用の布を展開する。
【０００４】
但し、上述する広告用布製表示パネルは、単一の支持フレームを用いるため、異なる方向からの風の衝撃を受けた場合、表示パネル用の布には受ける風の力、振動、揺れに対抗する反作用が発生する。これら力は必然と該支持フレームに伝えられ、振動、揺れの力が該支持フレーム本体の耐久限度を超えた場合、該支持フレームの傾斜、湾曲、破壊を招く場合がある。
【考案の概要】
【考案が解決しようとする課題】
【０００５】
この考案は、風の力など外部から受ける力に対する強度を高めた広告布製表示パネルのフレームを提供することを課題とする。
【０００６】
また、この考案は、外部からの力に対する高い強度を有しつつ、かつ簡易な構造で、組み立て、分解の容易な広告用布製表示パネルのフレームを提供することを課題とする。
【課題を解決するための手段】
【０００７】
そこで、本考案者は、従来の技術に見られる欠点に鑑みて鋭意研究を重ねた結果、滑車と、少なくとも１以上の弾性フックとを具え、かつ摺動自在に設けられた、表示パネル用の布を張設するための複数の張設部材と、ベースフレームとを具え、該ベースフレームが、２つ以上のねじ孔が形成され、かつ２つのレール部が対向して設けられた、少なくとも１以上の固定フレームと、該固定フレームの該レール部内に設けられるとともに、一端に延伸部を有し、かつ該支持柱の該連結溝内に設けられる第１レール部が形成され、該支持柱の該連結溝内に設けられる第２レール部が該延伸部に形成された、少なくとも１以上の連結板と、を具えてなる広告用布製表示パネルのフレームの構造によって課題を解決できる点に着眼し、係る知見によって本考案を完成させた。
【０００８】
以下、この考案について説明する。
請求項１に記載する広告用布製表示パネルのフレームは、  摺動自在に設けられ、表示パネル用の布を張設するための複数の張設部材と、ベースフレームとを具える広告用布製表示パネルのフレームであって、
該複数の張設部材は、それぞれ滑車と、少なくとも１以上の弾性フックとを具え、かつそれぞれの該滑車は互いに異なる方向に向けて設けられ、該弾性フックは、布製表示パネルに設けた引き紐を掛止するために供し、
該ベースレールが、開口がそれぞれ異なる方向に向かって形成された複数の連結溝と、該張設部材の該滑車に対応して形成された複数のガイド溝と、を具える２本、もしくは２本以上の支持柱と、
２つ以上のねじ孔が形成され、かつ２つのレール部が対向して設けられた、少なくとも１以上の固定フレームと、
該固定フレームの該レール部内に設けられるとともに、一端に延伸部を有し、かつ該支持柱の該連結溝内に設けられる第１レール部が形成され、該支持柱の該連結溝内に設けられる第２レール部が該延伸部に形成された、少なくとも１以上の連結板と、を具える。
【０００９】
請求項２に記載する広告用布製表示パネルのフレームは、  請求項１における固定フレームの該ねじ孔に締結部材を螺着して、該固定フレームを物体に固定する。
【００１０】
請求項３に記載する広告用布製表示パネルのフレームは、請求項１における連結板に少なくとも２以上の位置決め孔と、少なくとも１以上のねじ孔を形成する。
【００１１】
請求項４に記載する広告用布製表示パネルのフレームは、請求項１における連結板に、該延伸部と該第２レール部とを貫通する複数のねじを設ける。
【００１２】
請求項５に記載する広告用布製表示パネルのフレームは、請求項１における連結板の該延伸部が、該支持柱の外部形状に沿って湾曲している。
【００１３】
請求項６に記載する広告用布製表示パネルのフレームは、請求項１におけるベースレールが、複数の連結支持フレームと、複数の締結部材とをさらに具え、
該連結支持フレームが２本の支持柱の間に設けられ、かつそれぞれの該支持フレームが上下に配列されるとともに、該連結支持フレームの両側にそれぞれ連結ブロックが形成され、該連結ブロックは該支持柱の該連結溝内に設けられ、該連結支持フレームの上端に切欠き溝が形成されるとともに、下方に位置する他の連結支持フレームの底端に、該切欠き溝に対応する位置にねじ孔が形成され、
該締結部材は該連結支持フレームの該ねじ孔と、下方に配列された他の連結支持フレームの上端に形成された該切欠き溝とを貫通して締結する。
【００１４】
請求項７に記載する広告用布製表示パネルのフレームは、請求項６における締結部材が、ボルトと、弾性座金と、ナットとによってなる。
【００１５】
請求項８に記載する広告用布製表示パネルのフレームは、請求項６における連結支持フレームが、閉鎖した環状に形成される。
【図面の簡単な説明】
【００１６】
【図１】この考案におけるベースレールの構造を示した説明図である。
【図２】図１に開示するベースレールの一部拡大説明図である。
【図３】この考案における連結支持フレームの接続構造を示した説明図である。
【図４】この考案におけるベースレールの構造を示した平面図である。
【図５】この考案におけるベースレールと張設部材の構造を示した平面図である。
【図６】他の実施の形態によるベースレールの構造をしました説明図である。
【図７】この考案における固定フレームと連結板の構造を示した説明図である。
【考案を実施するための形態】
【００１７】
この考案は、外部から受ける力に対する強度を高め、簡易な構造を有する広告用布製表示パネルのフレームを提供するものであって、  滑車と、少なくとも１以上の弾性フックとを具え、かつ摺動自在に設けられた、表示パネル用の布を張設するための複数の張設部材と、ベースフレームとを具え、該ベースフレームが、２つ以上のねじ孔が形成され、かつ２つのレール部が対向して設けられた、少なくとも１以上の固定フレームと、該固定フレームの該レール部内に設けられるとともに、一端に延伸部を有し、かつ該支持柱の該連結溝内に設けられる第１レール部が形成され、該支持柱の該連結溝内に設けられる第２レール部が該延伸部に形成された、少なくとも１以上の連結板と、によって構成する。
かかる広告用布製表示パネルのフレームの構造と特徴を説明するために、図面を参考にして、以下に詳述する。
【実施例】
【００１８】
この考案による広告用布製表示パネルのフレームは、図１から図５に開示するように、表示パネル用の布を張設するための複数の張設部材２を摺動自在に具える。複数の張設部材２は、それぞれ滑車２１と少なくとも１以上の弾性フック２２とを具える。それぞれの滑車は、互いに異なる方向に向けて設ける。張設部材２に設けた弾性フック２２は、布製表示パネル６に設けた引き紐を掛止するために供する。
【００１９】
また、この考案による広告用布製表示パネルのフレームはベースレール１を具える。ベースレール１は、２本、もしくは２本以上の支持柱１０と、連結支持フレーム１１と、複数の締結部材１２を具える。
【００２０】
支持柱１０には複数の連結溝１０１と、複数のガイド溝１０２を形成する。それぞれの連結溝１０１は互いに隣り合って設け、かつそれぞれの連結溝は開口が異なる方向に向かうように形成する。また、複数のガイド溝１０２は、それぞれが隣り合って設けられ、かつそれぞれが張設部材２の滑車２１に対応して設け、図５に開示するように、滑車２１をそれぞれのガイド溝１０２内に収納する。
【００２１】
連結支持フレーム１１は、２本の支持柱１０の間に設け、かつそれぞれの連結し図フレーム１１は上下端が互いに連結する。また、連結支持フレーム１１の形状は、円形、ひし形、正方形、もしくはその他多角形であってもよく、開口のない環状に形成する。連結支持フレーム１１の両側には、それぞれ連結ブロック１１１を形成する。連結ブロック１１１は、対応する支持柱１０の連結溝１０１内に設ける。また、連結支持フレーム１１は上端に切欠き溝１１２を形成し、底端には孔部１１３を穿設する。連結支持フレーム１１底端に穿設する孔部１１３は、その下方に位置する他の連結支持フレーム１１の上端の切欠き溝１１２に対応する位置に穿設する。
【００２２】
締結部材１２は、連結支持フレーム１１の底端に穿設した孔部１１３と、その下方に位置する他の連結支持フレーム１１の上端に形成した切欠き溝１１２とを貫通して設ける。締結部材１２はボルト１２１と、ナット１２２と、弾性座金１２３を含む。ボルト１２は一端から切欠き溝１１２と孔部１１３とを貫通させ、さらに弾性座金１２３を設け、ナット１２１を螺着する。ボルト１２１は、弾性座金１２３の付勢力によって緊密に螺着し、両連結支持フレーム１１の安定した連結を達成する。
【００２３】
また、連結する２つの一方の連結支持フレーム１１の上端に切欠き溝１１２が形成されているため、ナット１２２、ボルト１２１及び弾性座金１２３とを一体にして締結する場合、弾性座金１２３をナット１２２側に押し付けて、切欠き溝１１２に直接切欠き溝１１２からボルト１２１を挿入してもよい。かかる作業手順は、同様に２つの一方の連結支持フレーム１１を安定して連結することができるのみならず、締結の作業を効率よく行うことができ、作業の速度を高めることができる。
【００２４】
ベースレール１を組み立てる場合、実施例においては、３本の支持柱１０の間にそれぞれ複数の連結支持フレーム１１を設け、それぞれの連結支持フレーム１１の両の連結ブロック１１１を支持柱１０の連結溝１０内に設け、各支持柱１０と各連結支持フレーム１１とによって三角柱状を形成する。さらに、締結部材１２によって上下に配列したそれぞれの連結支持フレーム１１で連結する。
【００２５】
上述するベースレール１の組み立ては作業が容易で、短時間で組み立てることができ、かつ低コストでそれぞれの支持柱１０とし連結支持フレーム１１とを連結して三角柱状を形成することができる。さらに、広告用布製表示パネルのベースレール１は好ましい強度が得られる。
【００２６】
また、それぞれの支持柱１０の複数のガイド溝１０２は、張設部材２に設けたそれぞれの滑車２１に対応して形成され、張設部材２の滑車２１をそれぞれのガイド溝１０２内に設ける。よって、張設部材２に設けた滑車２１と、支持柱１０の複数のガイド溝１０２との間に複数箇所の牽制ポイントが形成される。このため、張設部材２が支持柱１０上を安定して移動することができる。さらに、張設部材２の弾性フック２２に布製表示パネル６に設けた引き紐を掛止する。
【００２７】
また、実施例においては、ベースレール１のそれぞれの支持柱１０と、連結支持フレーム１１とを連結して三角柱状にすることによって、ベースレール１に強度を高めるのみならず、図４に開示するように、２本の支持柱１０を正面、背面とそれぞれ異なる方向に向けて設けることによって、少なくとも１枚以上の（正面、背面）広告用布製表示パネル６を、同時にベースフレーム１に掛止して展示することができる。
【００２８】
さらに、この考案における実施例では、ベースレール１の間に、さらに補助桿３を設けて、両ベースレール１の間の安定性を強化するとともに、ベースレール１に巻き取り手段４と、滑車セット５を設けても良い。巻き取り手段４と、滑車セット５とによって支持柱１０上の張設部材２を移動させて、昇降の動作をさせる。即ち、張設部材２の弾性フック２２には、布製表示パネル６の引き紐を掛止して、巻き取り手段４を操作して、布製表示パネル６にベースレール１上で昇降の動作をさせる。
【００２９】
また、張設部材２の弾性フック２２は回動自在に設けられ、かつ伸縮性を有して緩衝作用を具える。よって、布製表示パネル６が風力による衝撃を受けた場合、振動、揺れなどに対して反作用が発生し、布製表示パネル６と引っ張り紐に過大な荷重がかかり、断裂するなどといった情況の発生を防ぐことができる。
【００３０】
さらに、締結部材１２は、ボルト１２を連結支持フレーム１１の底端に形成した孔部１１３と、その下方に位置する他の連結支持フレーム１１の上端に形成した切欠き溝１１２に貫通させ、さらにナット１２２を螺着して締結する。このため、連結する両連結支持フレーム１１が、上下に安定して連結されるとともに、連結支持フレーム１１は回動自在に設けられる。よって、複数の連結支持フレーム１１を円弧状に湾曲した支持柱（図示しない）に設けた場合、布製表示パネル６を張設する場合に必要とされる円弧状の湾曲の角度を調整することができる。即ち、布製表示パネル６全体を湾曲させて表示する機能が得られる。
【００３１】
また、図６、７に開示するように、ベースレール１は、少なくとも１以上の固定フレーム７と、少なくとも１以上の連結板８を具えてもよい。
【００３２】
固定フレーム７には、少なくとも２以上のねじ孔７を形成するとともに、二つのレール部７２を対向する位置に設ける。
【００３３】
連結板８は、固定フレーム７のレール部７２内に設ける。連結板８は少なくとも２以上の位置決め孔８１と、少なくとも１以上のねじ孔８２を形成する。また、連結板８の一端を延伸部８３とし、かつ当止ブロック８６を一体に形成するとともに、別途調整ボルト８８を設ける。
【００３４】
延伸部８３は支持柱１０の形状に沿って湾曲し、かつ延伸部８の一方の面には、支持柱１０の連結溝１０１に対応する第１レール部８４と、第２レール部８５を一体に形成する。また、当止ブロック８６は、連結板８の第１レール部８４、第２レール部８５を設ける面の背面に形成する。さらに、連結板８には延伸部８３と、第２レール部８５とを貫通する複数のねじ８７を螺着する。
【００３５】
この考案による広告用布製表示パネルのフレームは、ベースレール１の支持柱１０が単一の支持フレームの形態であった場合、更に固定フレーム７と、連結板８とを組み合わせて、固定フレーム７のねじ孔７１から別途締結部材を螺着して、例えば壁面などの物体の支持面に固定する。よって、固定フレーム７が安定して物体の支持面に固定される。
【００３６】
さらに、連結板８を固定フレーム８のレール部７２内に設け、横方向に移動させて位置を調整できるようにする。連結板８の横方向の位置を調整して、位置が確定した後、連結板８のねじ孔８２にねじ９を螺着し、当止ブロック８６に設けた調整ボルト８８を調整して、ねじ９で締結することによって固定フレーム７を緊密に圧迫し、連結板８を横方向に調整した位置で固定する。
【００３７】
また、同時に連結板８の第１レール部８４と、第２レール部８５とを対応する支持柱１０の連結溝内に設ける。さらに、支持柱１０をして、連結板８上を軸方向に移動させて位置を調整し、支持柱１０の軸方向の位置を確定させた後、ねじ８７で支持柱１０の連結溝１０１を緊密に圧迫する状態にする。固定柱１０を軸方向に移動させて調整した位置において、ベースレール１を壁面などの物体の支持面に安定して固定させることができる。
【符号の説明】
【００３８】
１          ベースフレーム
１０        支持
１０１      連結溝
１０２      ガイド溝
１１        連結支持フレーム
１１１      連結ブロック
１１２      切欠き溝
１１３      孔部
１２        締結部材
１２１      ボルト
１２２      ナット
１２３      弾性座金
２          張設部材
２１        滑車
２２        弾性フック
３          補助桿
４          巻き取り手段
５          滑車セット
６          布製表示パネル
７          固定フレーム      
７１        ねじ孔
７２        レール部
８          連結板
８１        位置決め孔
８２        ねじ孔
８３        延伸部
８４        第１レール部
８５        第２レール部
８６        当止ブロック
８７        ねじ孔
８８        調整ボルト
【図１】
0003166449.tif 000003
【図２】
0003166449.tif 000004
【図３】
0003166449.tif 000005
【図４】
0003166449.tif 000006
【図５】
0003166449.tif 000007
【図６】
0003166449.tif 000008
【図７】
0003166449.tif 000009